(57)【要約】【課題】テレビ放送とインターネット回線によるテレビ電話会議システムを結合し、テレビ放送による情報発信に対して、リアルタイムでテレビ放送視聴者がそのテレビ放送に前記インターネット回線を利用して情報提供しその情報提供がそのテレビ放送に反映されて視聴者がそのテレビ放送に参加できる双方向テレビ放送装置を提供する。【解決手段】インターネット回線を利用した多チャンネルテレビ電話会議ソフトをインストールしたスタジオＰＣ及び参加者ＰＣと、テレビ放送の送信機と、テレビ放送を受信するテレビ受信装置からなる双方向テレビ放送装置であって、スタジオＰＣがインターネット回線を介して参加者ＰＣから映像等を収集し、スタジオＰＣのモニタ上で編集し、編集した映像をアナログ又はデジタル信号中継器を介して送信機に出力し、送信機がテレビ放送することを特徴とする双方向テレビ放送装置の構成とした。【選択図】図１
0003159996.tif 000002
【実用新案登録請求の範囲】
【請求項１】
インターネット回線を利用した多チャンネルテレビ電話会議ソフトをインストールしたスタジオＰＣ及び参加者ＰＣと、テレビ放送の送信機と、前記テレビ放送を受信するテレビ受信装置からなる双方向テレビ放送装置であって、
前記スタジオＰＣが、前記スタジオＰＣに接続されたカメラによって撮影した映像を取得し又は前記参加者ＰＣに接続されたカメラによって撮影された映像を前記インターネット回線を介して収集し、前記映像を前記スタジオＰＣのディスクトップであるスタジオモニタ上で編集し、編集した前記スタジオモニタ上の映像をアナログ又はデジタル信号中継器を介して前記送信機に出力し、前記送信機がテレビ放送することを特徴とする双方向テレビ放送装置。
【請求項２】
さらに、前記スタジオＰＣ又は前記参加者ＰＣにはマイクが備えられ、前記マイクで収集された音声も前記スタジオＰＣに収集され、前記映像とともに前記送信機に出力されることを特徴とする請求項１に記載の双方向テレビ放送装置。
【請求項３】
前記カメラが、デジタル映像を撮影出力するＩＥＥＥ１３９４対応入力機器であり、前記スタジオＰＣ及び前記参加者ＰＣが、前記ＩＥＥＥ１３９４対応入力機器から記憶装置に映像データを取り込むキャプチャ機能と、前記記憶装置からデスクトップ上に表示した映像データを送受信する集配信機能を備えることを特徴とする請求項１又は請求項２に記載の双方向テレビ放送装置。
【請求項４】
前記スタジオＰＣと前記参加者ＰＣとが、前記送受信の通信手段としてピアツーピア方式でセッションを確立する多チャンネルテレビ電話機能を備えることを特徴とする請求項３に記載の双方向テレビ放送装置。
【請求項５】
前記映像が、前記カメラによる撮影でなく、前記参加者ＰＣの参加モニタ上の画像を前記参加者ＰＣがデスクトップ配信機能により前記スタジオＰＣに配信した画像であることを特徴とする請求項１〜請求項４の何れか１項に記載の双方向テレビ放送装置。
【請求項６】
前記テレビ放送には、前記スタジオＰＣと前記参加者ＰＣとがセッションを確立するセッションパスワードを発行する発行場所を表示し、前記テレビ放送の受信者又は受信者ＰＣが、前記発行場所から前記セッションパスワードを取得し、前記受信者ＰＣが前記セッションパスワード用いて前記スタジオＰＣとセッションを確立することを特徴とする請求項１〜請求項５の何れか１項に記載の双方向テレビ放送装置。
【請求項７】
前記セッションパスワードは、前記セッションを作成する前記スタジオＰＣによって決定されることを特徴とする請求項６に記載の双方向テレビ放送装置。
【考案の詳細な説明】
【技術分野】
【０００１】
本考案は、テレビ放送とインターネット回線によるテレビ電話会議システムを結合し、テレビ放送による情報発信に対して、リアルタイムでテレビ放送視聴者がそのテレビ放送に前記インターネット回線を利用して情報提供しその情報提供がそのテレビ放送に反映されて視聴者がそのテレビ放送に参加でき、テレビ放送とインターネット回線によるテレビ電話会議システムとで仮想的に双方向に情報伝達できる双方向テレビ放送装置に関する。
【背景技術】
【０００２】
通信技術の発達により、遠くにいる者同士がインターネットを利用して一堂に会しているかの如くリアルタイムに映像及び音声データ（以下、単に「映像及び音声」ということもある。）をやり取りするテレビ電話会議システムというものが実現されている。例えば、非特許文献１「ＳＯＢＡ−ｍｉｅｒｕｋａＷＥＢ会議システム」等がある。
【０００３】
また、特許文献１に記載されているように、ＣＣＤ（電荷結合素子）部をもつカメラとパソコンのインタフェースにＵＳＢ（ユニバーサルシリアルバス）を使用し映像データを取り込むシステムについての発明も公開されている。
【０００４】
他方、テレビ放送は、主に不特定多数の者に同時かつ一方方向で情報を伝達する媒体として存在する。また、受信制限手段を用いて、特定多数の受信契約者に映像及び音声を送信している衛星放送、ケーブルテレビ放送等のテレビ放送もある。
【先行技術文献】
【特許文献】
【０００５】
【特許文献１】特開平１０−２３２９２４号公報
【非特許文献】
【０００６】
【非特許文献１】http://mieruka.soba-project.com/mieruka/function/
【考案の概要】
【考案が解決しようとする課題】
【０００７】
インターネット、テレビ放送は、それぞれ独立して情報発信をしているのが現状である。しかしながら、インターネットのテレビ電話会議システムでは、討論会、会議、学会、セミナー、イベント会、教育等のセッションのメンバー以外は参加ができなかった。或いは、セッションのメンバーでないとそもそも当該セッションが開催されていることすら知り得なかった。他方、テレビ放送については、質問、討論、意見交換等（以下、まとめて「情報提供」という。）したいときでも、リアルタイムで視聴者側から情報発信者側に情報提供することはできなかった。
【０００８】
そこで、テレビ放送とインターネット回線によるテレビ電話会議システムを結合し、テレビ放送による情報発信に対して、リアルタイムでテレビ放送視聴者がそのテレビ放送に前記インターネット回線を利用して情報提供しその情報提供がそのテレビ放送に反映されて視聴者がそのテレビ放送に参加でき、テレビ放送とインターネット回線によるテレビ電話会議システムとで仮想的に双方向に情報伝達できる双方向テレビ放送装置を提供することを目的とする。
【課題を解決するための手段】
【０００９】
上記の課題を解決するために、本考案は、インターネット回線を利用した多チャンネルテレビ電話会議ソフトをインストールしたスタジオＰＣ及び参加者ＰＣと、テレビ放送の送信機と、前記テレビ放送を受信するテレビ受信装置からなる双方向テレビ放送装置であって、前記スタジオＰＣが、前記スタジオＰＣに接続されたカメラによって撮影した映像を取得し又は前記参加者ＰＣに接続されたカメラによって撮影された映像を前記インターネット回線を介して収集し、前記映像を前記スタジオＰＣのディスクトップであるスタジオモニタ上で編集し、編集した前記スタジオモニタ上の映像をアナログ又はデジタル信号中継器を介して前記送信機に出力し、前記送信機がテレビ放送することを特徴とする双方向テレビ放送装置の構成とした。さらに、前記スタジオＰＣ又は前記参加者ＰＣにはマイクが備えられ、前記マイクで収集された音声も前記スタジオＰＣに収集され、前記映像とともに前記送信機に出力されることを特徴とする前記記載の双方向テレビ放送装置の構成とした。前記カメラが、デジタル映像を撮影出力するＩＥＥＥ１３９４対応入力機器であり、前記スタジオＰＣ及び前記参加者ＰＣが、前記ＩＥＥＥ１３９４対応入力機器から記憶装置に映像データを取り込むキャプチャ機能と、前記記憶装置からデスクトップ上に表示した映像データを送受信する集配信機能を備えることを特徴とする前記何れかに記載の双方向テレビ放送装置の構成とした。前記スタジオＰＣと前記参加者ＰＣとが、前記送受信の通信手段としてピアツーピア方式でセッションを確立する多チャンネルテレビ電話機能を備えることを特徴とする前記記載の双方向テレビ放送装置の構成とした。前記映像が、前記カメラによる撮影でなく、前記参加者ＰＣの参加モニタ上の画像を前記参加者ＰＣがデスクトップ配信機能により前記スタジオＰＣに配信した画像であることを特徴とする前記何れかに記載の双方向テレビ放送装置の構成とした。前記テレビ放送には、前記スタジオＰＣと前記参加者ＰＣとがセッションを確立するセッションパスワードを発行する発行場所を表示し、前記テレビ放送の受信者又は受信者ＰＣが、前記発行場所から前記セッションパスワードを取得し、前記受信者ＰＣが前記セッションパスワード用いて前記スタジオＰＣとセッションを確立することを特徴とする前記何れかに記載の双方向テレビ放送装置の構成とした。前記セッションパスワードは、前記セッションを作成する前記スタジオＰＣによって決定されることを特徴とする前記記載の双方向テレビ放送装置の構成とした。
【考案の効果】
【００１０】
本考案は、スタジオＰＣが、インターネット等を介して映像及び音声を収集し、テレビ放送する送信機に出力することで、テレビ放送による情報発信に対して、リアルタイムでテレビ放送視聴者がそのテレビ放送に前記インターネット回線を利用して情報提供しその情報提供がそのテレビ放送に反映されて視聴者がそのテレビ放送に参加できる。
【００１１】
例えば、地域情報のレポート放映（地域レポート）においては、紹介される観光地、名所等の地域、名産物、特産物等の商品紹介について、テレビ放送を視聴していた視聴者は、視聴者ＰＣから意見、質問等をスタジオＰＣに配信することで、取材先（リポーター）にリアルタイムで意見、質問等を直接伝達することができる。このような、地域レポートであれば、取材先（レポーター）が視聴者の興味がある部分をその場で知ることができ、視聴者のニーズに適格に答えることができ、情報発信密度が増す。さらに、その状況がテレビ放送にも反映させることができる。従って、単なる視聴者であっても視聴者の立場での情報発信がされるため、視聴者に興味あるテレビ放送の番組（以下、単に「番組」という。）を製作することができることとなる。同様に、討論会、会議、学会、セミナー、イベント会、教育等のテレビ放送において、視聴者にとって一層興味ある番組づくりが可能になる。
【００１２】
加えて、映像取得手段のカメラとして、ＩＥＥＥ１３９４対応入力機器を使用することにより、文字を撮影した動画であっても鮮明に伝達することができる。
【００１３】
他方、本考案によれば、デスクトップ配信機能により、収集する映像をカメラ撮影によらず、予め取得しておいた動画、静止画像、写真、絵、文書等（以下、これらを単に「画像」という。）を、カメラ映像と同様に、テレビ放送することも可能である。
【００１４】
さらに、テレビ放送に、番組に参加するためのセッション確立へのパスワード（セッションパスワード）を発行する場所を表示することで、テレビ放送の視聴者は、インターネットで目的のセッションを検索することなく、興味あるセッションに参加し情報提供することができる。
【００１５】
また、セッション作成者によって、セッションに参加するセッションパスワードをセッション毎に都度変更することで、セッション毎に参加者を限定することができる。
【図面の簡単な説明】
【００１６】
【図１】本考案である双方向テレビ放送装置の一例の全体構成図である。
【図２】本考案である双方向テレビ放送装置のスタジオＰＣの内部構成図である。
【図３】本考案のテレビ受信装置の表示部の表示の一例である。
【図４】本考案の双方向テレビ放送装置への参加手順について、２人目の参加者の参加を対象にした説明図である。
【図５】本考案である双方向テレビ放送装置の他の全体構成図（地域レポート）である。
【図６】本考案である双方向テレビ放送装置の他の全体構成図（ディスクトップ配信）である。
【図７】本考案である双方向テレビ放送装置の集配信機能の内部ソフトウエアの構成図の一例である。
【考案を実施するための形態】
【００１７】
以下、図面を参照しながら、本考案である双方向テレビ放送装置について詳細に説明する。
【実施例１】
【００１８】
本考案である双方向テレビ放送装置１の全体構成の一例を図１に示した。双方向テレビ放送装置１は、インターネット回線６を利用した多チャンネルテレビ電話会議ソフトをインストールしたスタジオＰＣ２及び参加者ＰＣ３〜３ｂと、スタジオＰＣ２上の映像、音声をテレビ放送入力信号に変換するアナログ又はデジタル信号中継器２ｇと、テレビ放送の送信機２ｆと、前記テレビ放送を受信するテレビ受信装置４〜４ｃとからなる。
【００１９】
そして、スタジオＰＣ２が、スタジオＰＣ２に接続されたカメラによって撮影した映像を取得し又は参加者ＰＣ３〜３ｂに接続されたカメラによって撮影された映像をインターネット回線６を介して収集し、前記映像をスタジオＰＣ２のディスクトップであるスタジオモニタ８上で編集し、編集した前記スタジオモニタ８上の映像をアナログ又はデジタル信号中継器２ｇを介して送信機２ｆに出力し、送信機２ｆがテレビ放送することを特徴とする。
【００２０】
送信機２ｆは、テレビ放送局の従来より採用されているテレビ放送手段であり、アナログ又はデジタル信号中継器２ｇは、スタジオＰＣ２の映像出力をテレビ放送の入力信号に変換する装置である。
【００２１】
テレビ放送の伝達媒体は、電波又はケーブル５であってもよい。テレビ放送の受信は、視聴者がテレビ受信装置４〜４ｃで行う。テレビ受信装置４〜４ｃは、映像を可視化し表示するモニタ、及びテレビ放送に含まれる音声信号を音声として出力するスピーカ、ヘットフォン、イヤホンを備える、所謂テレビである。
【００２２】
スタジオＰＣ２及び参加者ＰＣ３〜３ｂには、それぞれ撮影対象７〜７ｄを撮影するカメラであるＩＥＥＥ１３９４対応入力機器７と、それを表示するスタジオモニタ８及び参加モニタ８ａ〜８ｃ、また必要に応じて、音声を入力し各ＰＣに出力するマイク２ｈと、各ＰＣから音声を入力し再生するスピーカ、イヤホン、ヘットフォン等の音声再生器２ｉとを接続する。
【００２３】
ＩＥＥＥ１３９４は、高速シリアルバス規格であり、ファイヤーワイヤー、アイリンク、ＤＶ（デジタルビデオ）端子とも呼ばれ、ＩＥＥＥ１３９４対応入力機器７としては、映像を撮影するＤＶカメラ等がある。
【００２４】
カメラとしては、図５に示したように、ＵＳＢ対応入力機器７ｅを採用してもよい。ＵＳＢは、シリアルバス規格であり、ＵＳＢ対応入力機器７ｅとしては、ＰＣカメラやアナログカメラ（アナログ−デジタル変換手段を経由）がある。
【００２５】
ＵＳＢ対応入力機器７ｅは、ＩＥＥＥ１３９４対応入力機器７に比べると鮮明さが劣るので、鮮明さが要求されない場合等に、ＩＥＥＥ１３９４対応入力機器７の補助として用いる。
【００２６】
スタジオＰＣ２は、スタジオＰＣ２に接続するカメラ及びマイクで取得した映像及び音声、及び参加者ＰＣ３〜３ｂで取得した映像及び音声をインターネット回線６を介して参加者ＰＣ３〜３ｂが配信した映像及び音声をスタジオＰＣ２で多チャンネルテレビ電話会議ソフトで収集され、スタジオＰＣ２のスタジオモニタ８上で、管理者１１がマウス２ｊ等の入力機器で編集した上で、テレビ放送に出力される。
【００２７】
前記編集には、映像の配置、拡大・縮小、送信の中止等が含まれる。多チャンネルテレビ電話会議ソフトによる通信は、ピアツーピア方式で行われることが望ましい。
【００２８】
アナログデータは、各ＰＣに取り込む際にデジタルデータに変換されて、スタジオＰＣ２と参加者ＰＣ３〜３ｂ間でデータの送受信が行われる。
【００２９】
図１では、ＩＥＥＥ１３９４対応入力機器７で撮影された撮影対象７ａ（スタジオ）映像がスタジオＰＣ２に入力され、各ＰＣにインストールされている多チャンネルテレビ電話会議ソフトによって、インターネット回線６を介して、参加者ＰＣ３から撮影対象７ｂ（参加者１２）映像、参加者ＰＣ３ａから撮影対象７ｃ（●）映像、参加者ＰＣ３ｂから撮影対象７ｄ（▲）映像が、スタジオＰＣ２に収集され、テレビ放送により各テレビ受信装置４〜４ｃに放送される。従って、スタジオＰＣ２のスタジオモニタ８上の表示と同一の表示が、参加者ＰＣ３〜３ｂの参加モニタ８ａ〜８ｃ及びテレビ受信装置４〜４ｃのテレビ表示画面でスタジオＰＣ２の画面と同様に表示され、参加者１２〜１２ｂ、さらに単なる視聴者１２ｄでスタジオＰＣ２がテレビ放送された情報が共有される。
【００３０】
これにより、インターネット回線６上の多チャンネルテレビ電話会議システムとテレビ放送を結合され、テレビ放送にテレビ放送の視聴者も参加することができる。そしてテレビ放送の配信と、インターネットによってテレビ放送への配信とで、仮想的な双方向情報伝達が可能になる。なお、図１では、参加者１２〜１２ｂを３名として説明したが、勿論それ以上の多数でも参加できる。
【００３１】
図２に、本考案である双方向テレビ放送装置のＰＣ内部構成を示した。スタジオＰＣ２は、中央処理装置２ａ、入力装置２ｂ、記憶装置２ｃ、出力装置２ｄ、通信手段２ｅ等からなり、コンピューター、ＰＣ（パーソナルコンピュータ）等がある。なお、参加者ＰＣ３〜３ｂ、後述の図５の取材先ＰＣ１３、図６の送信者ＰＣ１４も、アナログ又はデジタル信号中継器２ｇ及び送信機２ｆに出力する機能以外は同様である。
【００３２】
中央処理装置２ａ（ＣＰＵ）は、入力装置２ｂ、記憶装置２ｃ、出力装置２ｄ、通信手段２ｅ等を管理し動作を制御する。なお、記憶装置２ｃから必要なデータを取り出して処理を実行するための作業領域としてメモリを有する。
【００３３】
入力装置２ｂは、データを取り込んで、記憶装置２ｃに保存するもので、ＩＥＥＥ１３９４対応入力機器７やＵＳＢ対応入力機器７ｅ等が該当する。
【００３４】
記憶装置２ｃは、データを取り込むための入力用プログラム９や、データを表示したり転送するための出力用プログラム１０が導入される。出力用プログラム１０によって、収集した映像及び音声はアナログ又はデジタル信号中継器２ｇを介して、テレビ放送の送信機２ｆに出力され、電波（アナログ、地上デジタル、衛星放送）、ケーブルを介して、テレビ放送受信者のテレビ放送受信装置に送られる。
【００３５】
なお、入力用プログラム９としては、図７に示すように、ＩＥＥＥ１３９４用キャプチャソフト９ａ、ＵＳＢ用キャプチャソフト９ｂ等があり、出力用プログラム１０としては、デスクトップ配信ソフト１０ｂを内蔵した多チャンネルテレビ電話会議ソフト１０ａ等がある。多チャンネルテレビ電話会議ソフト１０ａとデスクトップ配信ソフト１０ｂは別体として備えても良い。
【００３６】
出力装置２ｄは、記憶装置２ｃから取り出したデータを可視化して表示するもので、モニタ（スタジオモニタ８、参加者においては参加モニタ８ａ〜８ｃ等、後述の図５の取材先モニタ１３ｂ、図６の送信者モニタ１４ｂ）が該当する。
【００３７】
通信手段２ｅは、スタジオＰＣ２が外部のＰＣ（参加者ＰＣ３ａ〜３ｂ、後述の図５の取材先ＰＣ１３及び図６の送信者ＰＣ１４）とデータ等をやり取りするもので、外部データを取り込んで記憶装置２ｃに保存したり、記憶装置２ｃのデータを外部に送り出したりする。通信方式としては、ピアツーピアプロトコル６ｂを用いるとよい。
【００３８】
図３は、本考案のテレビ受信装置の表示部の表示の一例である。映像及び音声等の情報の共有について、スタジオＰＣ２のスタジオモニタ８と図３の視聴者１２ｃ（参加後は図１の参加者１２ａ）のテレビ受信装置４ａのテレビ表示画面４ｄを例に説明する。なお、テレビ放送の視聴者、参加者ＰＣ３〜３ｂの参加モニタ８ａ〜８ｃも多チャンネルテレビ電話会議ソフト１０ａの起動により同様の画面表示となる。
【００３９】
インターネット回線６を介して集信(収集)された映像及び音声は、スタジオＰＣ２のスタジオモニタ８上に表示され、直接取得又は集信した画像は、画面上に配置される。その配置は、管理者１１により任意に変更できる。また、任意の画像を拡大できる。ここでは、点線で囲まれた参加者１２からの参加者映像表示部８ｅを左上に拡大したところを示した。従って、実際には点線で囲まれた参加者映像表示部８ｅは画面に表示されていない。
【００４０】
参加者映像表示部８ｅには、参加者１２の参加者ＰＣ３に接続されたＩＥＥＥ１３９４対応入力機器７で撮影された撮影対象７ｂの映像が表示される。同様に、右上のスタジオ映像表示部８ｄにはスタジオＰＣ２に接続されたＩＥＥＥ１３９４対応入力機器７で撮影された撮影対象７ａの映像（スタジオ表示）、左下の参加者映像表示部８ｆには参加者１２ａの参加者ＰＣ３ａに接続されたＩＥＥＥ１３９４対応入力機器７で撮影された撮影対象７ｃ（●）の映像、その右側の参加者映像表示部８ｇには参加者１２ｂの参加者ＰＣ３ｂに接続されたＩＥＥＥ１３９４対応入力機器７で撮影された撮影対象７ｄ（▲）の映像が表示される。なお、スタジオモニタ８上の右下隅の点線で囲まれた空白は、双方向テレビ放送装置１の放送にこれらか参加する参加者用の表示スペースである。これらスタジオモニタ８上の表示の配置は管理者１１により任意に編集できる。
【００４１】
管理者１１により、或いはスタジオＰＣ２によって編集されたスタジオモニタ８上の映像及び音声は、スタジオＰＣ２によって、アナログ又はデジタル信号中継器２ｇを介して送信機２ｆに出力され、送信機２ｆがテレビ放送する。
【００４２】
視聴者１２ｃのテレビ受信装置４ａが受信したテレビ放送のテレビ表示画面４ｄでもスタジオＰＣ２と同一の表示がされ、音声があればスピーカから再生される。即ち、スタジオモニタ８上の参加者映像表示部８ｅはテレビ表示画面４ｄ上で参加者映像表示部４ｆとして、同様に、スタジオ映像表示部８ｄはスタジオ映像表示部４ｅとして、参加者映像表示部８ｆ、８ｇは参加者映像表示部４ｇ、４ｈとして表示される。
【００４３】
また、テレビ表示画面４ｄには、双方向テレビ放送装置１の番組に参加するための問い合わせ先案内である参加申込先表示部２ｋが表示される。例えば、ホームページアドレス、電話番号等である。そこで表示された参加申込先では、双方向テレビ放送装置による番組への参加するための手段、例えばパスワードを発行する。参加申込先表示部２ｋはスタジオモニタ８上にスタジオＰＣ２で表示する。
【００４４】
図４は、本考案の双方向テレビ放送装置への参加手順について、図１において２人目の参加者１２ａの参加を対象にした説明図である。前提として、図１のスタジオＰＣ２、参加者ＰＣ３ａには、共通の多チャンネルテレビ電話会議ソフト１０ａがインストールされている。
【００４５】
視聴者１２ｃは、テレビ受信装置４のテレビ放送のテレビ表示画面４ｄの参加申込先表示部２ｋのセッションパスワード発行場所に連絡し、参加申し込みをする。その際、セッションパスワード発行場所は、視聴者１２ｃの住所、氏名、メールアドレス、電話番号、身分証明書等、個人を特定する情報を要求するとよい。テレビ放送は公共性が高いため、番組への参加を匿名とすることは好ましくない。
【００４６】
参加申し込み先の番組に、インターネット回線６を介して参加するためのセッションパスワード発行場所は、管理者１１でも、スタジオＰＣ２であってもよい。スタジオＰＣ２であれば処理を自動化できる。予め登録してある参加者の場合には、スタジオＰＣ２で参加許可をすると簡易である。
【００４７】
管理者１１又はスタジオＰＣ２は、参加を申し込んだ視聴者１２ｃが所定の参加基準を満たした場合には、インターネット回線６を介して番組に参加するための多チャンネルテレビ電話会議へのセッションを確立するためのセッションパスワードを発行する。視聴者１２ｃは、取得したセッションパスワードをセッション参加時に、参加者ＰＣ３ａから入力する。するとスタジオＰＣ２と参加者ＰＣ３ａとでインターネット回線６を介してセッションが確立する。
【００４８】
その結果、図４上部に表示のテレビ表示画面４ｄの点線空白部分に、図４下部に表示のように視聴者１２ｃが参加者１２ａとして表示され、映像及び音声が番組内に採用され、スタジオＰＣ２の処理によりテレビ放送される。ここでは、参加者１２ａはＩＥＥＥ１３９４対応入力機器７で参加者１２ａ自身を撮影しているため、スタジオモニタ８、テレビ放送によるテレビ受信装置４のテレビ表示画面４ｄにも参加者１２ａが表示される。
【実施例２】
【００４９】
図５は、本考案である双方向テレビ放送装置の他の全体構成図（地域レポート）である。本考案である双方向テレビ放送装置１ａは、実施例１において、参加者の一人が取材者１３ａとなり、取材者１３ａが取材先ＰＣ１３に接続されたＩＥＥＥ１３９４対応入力機器７で映像を撮影し取材先ＰＣ１３に入力し多チャンネルテレビ電話会議ソフト１０ａの配信機能によりスタジオＰＣ２に配信し、集信したスタジオＰＣは実施例１と同様にアナログ又はデジタル信号中継器２ｇを介して送信機２ｆに出力し、送信機２ｆがテレビ放送する。
【００５０】
音声も取材者ＰＣに接続されたマイク２ｈで取得し、映像とともにスタジオＰＣ２に配信する。取材者１３ａ、管理者１１もそれぞれテレビ受信装置１３ｃ、２ｍでテレビ放送内容を確認できる。また、ここでは、管理者１１、参加者１２のカメラをＵＳＢ対応入力機器７ｅとしたが、勿論ＩＥＥＥ１３９４対応入力機器７としてもよい。
【００５１】
地域レポートとしては、リポーター１１ａが、その地域の観光地、名所、名産物、特産物をテレビ放送で紹介すること等が例示できる。そのとき、本考案である双方向テレビ放送装置１ａでは、参加者１２は多チャンネルテレビ電話会議ソフト１０ａ機能で、前述のように、スタジオＰＣ２と参加者ＰＣ３とでセッションを確立し、インターネット回線６を介してテレビ放送に対して、質問等することで参加することができる。
【００５２】
例えば、リポーター１１ａが紹介した特産品に対して、参加者１２は参加者ＰＣ３に接続されているマイク２ｈから多チャンネルテレビ電話会議ソフト１０ａ機能でリポーター１１ａに直接質問することができる。
【００５３】
リポーター１１ａには、取材先ＰＣ１３に接続した音声再生器２ｉによって質問を直接受け、リポーター１１ａはマイク２ｈ、取材先ＰＣ１３を介して、テレビ放送で回答することができる。従って、参加者１２の質問、リポーター１１ａの回答はテレビ受信装置４、４ａ、２ｍ、１３ｃから聞こえる。同様に、映像はスタジオモニタ８、参加モニタ８ａ、取材先モニタ１３ｂにおいて多チャンネルテレビ電話会議ソフト１０ａ機能で共有される。
【００５４】
単に視聴するだけである視聴者１２ｄにおいてもテレビ放送において、同様の疑問、質問があることが予想されるため、視聴者１２ｄにとっても、他の視聴者が番組に参加することは意義がある。これにより、テレビ放送においても、視聴者の興味を当該放送にリアルタイムに反映させることができ、視聴者１２ｄにとって興味深い番組作成が可能になる。
【００５５】
また、このように、双方向テレビ放送装置１ａを利用したテレビ放送においては、スタジオＰＣ２が集信した映像及び音声をテレビ放送に出力することで、いずれの参加者も取材者となり得る。
【実施例３】
【００５６】
図６は、本考案である双方向テレビ放送装置の他の全体構成図（ディスクトップ配信）である。次に、スタジオＰＣ２が取得する映像が、カメラによる撮影でなく、参加者である送信者ＰＣ１４ａの送信者モニタ１４ｂ上の画像である場合について説明する。
【００５７】
双方向テレビ放送装置１ｂの参加者である送信者１４ａの送信者ＰＣ１４も多チャンネルテレビ電話会議ソフト１０ａがインストールされ、その多チャンネルテレビ電話会議ソフト１０ａが内蔵するデスクトップ配信ソフト１０ｂ機能によりスタジオＰＣ２に画像をインターネット回線６を介して配信する。スタジオＰＣ２のテレビ放送、各参加者１２のモニタ表示は実施例１、２と同様である。
【００５８】
ここでは、送信者ＰＣ１４の送信者モニタ１４ｂ上に表示された送信用の送信画像１４ｃを送信者ＰＣ１４が多チャンネルテレビ電話会議ソフト１０ａ機能によりスタジオＰＣ２にインターネット回線６を介して配信（図６中点線矢印）する。
【００５９】
その結果、テレビ受信装置４、１４ｄ、４ｃの送信者モニタ表示部１４ｅ、及びスタジオモニタ８、参加モニタ８ａには、送信者モニタ１４ｂの送信画像１４ｃ（●）が表示される。
【実施例４】
【００６０】
次に、図７及び一部図２を参照して、本考案である双方向テレビ放送装置の集配信機能の内部ソフトウエアの構成図の一例を説明する。
【００６１】
双方向テレビ放送装置１ｃでは、スタジオＰＣ２が、前述のように、アナログ又はデジタル信号中継器２ｇ、送信機２ｆによってテレビ放送への出力をする。また、スタジオＰＣ２は、多チャンネルテレビ電話会議ソフト１０ａの機能によりインターネット回線６を介して参加者ＰＣ３、３ａとで画像又は音声を集配信する。
【００６２】
スタジオＰＣ２、参加者ＰＣ３、３ａには、入力装置２ｂとして、ＤＶカメラ等のＩＥＥＥ１３９４対応入力機器７を接続し、入力用プログラム９としてＩＥＥＥ１３９４用キャプチャソフト９ａを導入する。
【００６３】
また、必要に応じて、ＵＳＢ用キャプチャソフト９ｂを導入しておき、ＵＳＢ対応入力機器７ｅを併用することもできる。ＵＳＢ対応入力機器７ｅは、ＩＥＥＥ１３９４対応入力機器７に代えて利用することもできる。
【００６４】
ＩＥＥＥ１３９４用キャプチャソフト９ａは、スタジオＰＣ２、参加者ＰＣ３、３ａのＩＥＥＥ１３９４端子（ＤＶ端子）に接続されたＩＥＥＥ１３９４対応入力機器７から、ＩＥＥＥ１３９４対応入力機器７で撮影した画像を取り込んで、画像データとして記憶装置２ｃに蓄積する機能を有するプログラムである。
【００６５】
また、出力装置２ｄとして各ＰＣはそれぞれスタジオモニタ８、参加者モニタ８ａ、８ｂを接続する。
【００６６】
出力用プログラム１０として、多チャンネルテレビ電話会議ソフト１０ａを導入する。多チャンネルテレビ電話会議ソフト１０ａは、インターネット回線６等のコンピュータネットワークへの接続から切断までセッションを確立し、ネットワークを介して画像や音声等のデータをリアルタイムに送受信できるように通信を制御する機能を有するプログラムである。また、多チャンネルテレビ電話会議ソフト１０ａは、図７のようにＩＥＥＥ１３９４用キャプチャソフト９ａ、ＵＳＢ用キャプチャソフト９ｂ、デスクトップ配信ソフト１０ｂを内蔵する。
【００６７】
デスクトップ配信ソフト１０ｂは、スタジオＰＣ２、参加者ＰＣ３、３ａのデスクトップ上の画像を他のコンピュータから受信又は他のコンピュータに送信する機能を有するプログラムである。
【符号の説明】
【００６８】
１        双方向テレビ放送装置
１ａ      双方向テレビ放送装置
１ｂ      双方向テレビ放送装置
１ｃ      双方向テレビ放送装置
２        スタジオＰＣ
２ａ      中央処理装置
２ｂ      入力装置
２ｃ      記憶装置
２ｄ      出力装置
２ｅ      通信手段
２ｆ      送信機
２ｇ      アナログ又はデジタル信号中継器
２ｈ      マイク
２ｉ      音声再生器
２ｊ      マウス
２ｋ      参加申込先表示部
２ｍ      テレビ受信装置
３        参加者ＰＣ
３ａ      参加者ＰＣ
３ｂ      参加者ＰＣ
４        テレビ受信装置
４ａ      テレビ受信装置
４ｂ      テレビ受信装置
４ｃ      テレビ受信装置
４ｄ      テレビ表示画面
４ｅ      スタジオ映像表示部
４ｆ      参加者映像表示部
４ｇ      参加者映像表示部
４ｈ      参加者映像表示部
５        電波又はケーブル
６        インターネット回線
６ｂ      ピアツーピアプロトコル
７        ＩＥＥＥ１３９４対応入力機器
７ａ      撮影対象
７ｂ      撮影対象
７ｃ      撮影対象
７ｄ      撮影対象
７ｅ      ＵＳＢ対応入力機器
８        スタジオモニタ
８ａ      参加モニタ
８ｂ      参加モニタ
８ｃ      参加モニタ
８ｄ      スタジオ映像表示部
８ｅ      参加者映像表示部
８ｆ      参加者映像表示部
８ｇ      参加者映像表示部
９        入力用プログラム
９ａ      ＩＥＥＥ１３９４用キャプチャソフト
９ｂ      ＵＳＢ用キャプチャソフト
１０        出力用プログラム
１０ａ      多チャンネルテレビ電話会議ソフト
１０ｂ      デスクトップ配信ソフト
１１        管理者
１１ａ      リポーター
１２        参加者
１２ａ      参加者
１２ｂ      参加者
１２ｃ      視聴者
１３        取材先ＰＣ
１３ａ      取材者
１３ｂ      取材先モニタ
１３ｃ      テレビ受信装置
１４        送信者ＰＣ
１４ａ      送信者
１４ｂ      送信者モニタ
１４ｃ      送信画像
１４ｄ      テレビ受信装置
１４ｅ      送信者モニタ表示部
【図１】
0003159996.tif 000003
【図２】
0003159996.tif 000004
【図３】
0003159996.tif 000005
【図４】
0003159996.tif 000006
【図５】
0003159996.tif 000007
【図６】
0003159996.tif 000008
【図７】
0003159996.tif 000009
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
インターネット回線を利用した多チャンネルテレビ電話会議ソフトをインストールしたスタジオＰＣ及び参加者ＰＣと、テレビ放送の送信機と、前記テレビ放送を受信するテレビ受信装置からなる双方向テレビ放送装置であって、
前記スタジオＰＣが、前記スタジオＰＣに接続されたカメラによって撮影した映像を取得し又は前記参加者ＰＣに接続されたカメラによって撮影された映像を前記インターネット回線を介して収集し、前記映像を前記スタジオＰＣのディスクトップであるスタジオモニタ上で編集し、編集した前記スタジオモニタ上の映像をアナログ又はデジタル信号中継器を介して前記送信機に出力し、前記送信機がテレビ放送することを特徴とする双方向テレビ放送装置。
【請求項２】
さらに、前記スタジオＰＣ又は前記参加者ＰＣにはマイクが備えられ、前記マイクで収集された音声も前記スタジオＰＣに収集され、前記映像とともに前記送信機に出力されることを特徴とする請求項１に記載の双方向テレビ放送装置。
【請求項３】
前記カメラが、デジタル映像を撮影出力するＩＥＥＥ１３９４対応入力機器であり、前記スタジオＰＣ及び前記参加者ＰＣが、前記ＩＥＥＥ１３９４対応入力機器から記憶装置に映像データを取り込むキャプチャ機能と、前記記憶装置からデスクトップ上に表示した映像データを送受信する集配信機能を備えることを特徴とする請求項１又は請求項２に記載の双方向テレビ放送装置。
【請求項４】
前記スタジオＰＣと前記参加者ＰＣとが、前記送受信の通信手段としてピアツーピア方式でセッションを確立する多チャンネルテレビ電話機能を備えることを特徴とする請求項３に記載の双方向テレビ放送装置。
【請求項５】
前記映像が、前記カメラによる撮影でなく、前記参加者ＰＣの参加モニタ上の画像を前記参加者ＰＣがデスクトップ配信機能により前記スタジオＰＣに配信した画像であることを特徴とする請求項１〜請求項４の何れか１項に記載の双方向テレビ放送装置。
【請求項６】
前記テレビ放送には、前記スタジオＰＣと前記参加者ＰＣとがセッションを確立するセッションパスワードを発行する発行場所を表示し、前記テレビ放送の受信者又は受信者ＰＣが、前記発行場所から前記セッションパスワードを取得し、前記受信者ＰＣが前記セッションパスワードを用いて前記スタジオＰＣとセッションを確立することを特徴とする請求項１〜請求項５の何れか１項に記載の双方向テレビ放送装置。
【請求項７】
前記セッションパスワードは、前記セッションを作成する前記スタジオＰＣによって決定されることを特徴とする請求項６に記載の双方向テレビ放送装置。
【手続補正２】
【補正対象書類名】明細書
【補正対象項目名】０００９
【補正方法】変更
【補正の内容】
【０００９】
上記の課題を解決するために、本考案は、インターネット回線を利用した多チャンネルテレビ電話会議ソフトをインストールしたスタジオＰＣ及び参加者ＰＣと、テレビ放送の送信機と、前記テレビ放送を受信するテレビ受信装置からなる双方向テレビ放送装置であって、前記スタジオＰＣが、前記スタジオＰＣに接続されたカメラによって撮影した映像を取得し又は前記参加者ＰＣに接続されたカメラによって撮影された映像を前記インターネット回線を介して収集し、前記映像を前記スタジオＰＣのディスクトップであるスタジオモニタ上で編集し、編集した前記スタジオモニタ上の映像をアナログ又はデジタル信号中継器を介して前記送信機に出力し、前記送信機がテレビ放送することを特徴とする双方向テレビ放送装置の構成とした。さらに、前記スタジオＰＣ又は前記参加者ＰＣにはマイクが備えられ、前記マイクで収集された音声も前記スタジオＰＣに収集され、前記映像とともに前記送信機に出力されることを特徴とする前記記載の双方向テレビ放送装置の構成とした。前記カメラが、デジタル映像を撮影出力するＩＥＥＥ１３９４対応入力機器であり、前記スタジオＰＣ及び前記参加者ＰＣが、前記ＩＥＥＥ１３９４対応入力機器から記憶装置に映像データを取り込むキャプチャ機能と、前記記憶装置からデスクトップ上に表示した映像データを送受信する集配信機能を備えることを特徴とする前記何れかに記載の双方向テレビ放送装置の構成とした。前記スタジオＰＣと前記参加者ＰＣとが、前記送受信の通信手段としてピアツーピア方式でセッションを確立する多チャンネルテレビ電話機能を備えることを特徴とする前記記載の双方向テレビ放送装置の構成とした。前記映像が、前記カメラによる撮影でなく、前記参加者ＰＣの参加モニタ上の画像を前記参加者ＰＣがデスクトップ配信機能により前記スタジオＰＣに配信した画像であることを特徴とする前記何れかに記載の双方向テレビ放送装置の構成とした。前記テレビ放送には、前記スタジオＰＣと前記参加者ＰＣとがセッションを確立するセッションパスワードを発行する発行場所を表示し、前記テレビ放送の受信者又は受信者ＰＣが、前記発行場所から前記セッションパスワードを取得し、前記受信者ＰＣが前記セッションパスワードを用いて前記スタジオＰＣとセッションを確立することを特徴とする前記何れかに記載の双方向テレビ放送装置の構成とした。前記セッションパスワードは、前記セッションを作成する前記スタジオＰＣによって決定されることを特徴とする前記記載の双方向テレビ放送装置の構成とした。